(57)【要約】【課題】  回転タンブラー方式キーシリンダーを備える錠装置において、キーを全ての回転タンブラーに掛かる一番奥の位置まで到達しない状態では、開錠操作としてキーを回せないようにすること。  また、施錠した際、キーを抜くことができる元の位置まで回し戻す操作をしなくてもキーが抜ける位置まで自動的に回し戻され、開錠操作の手間を減らすこと。【解決手段】  キーを挿入して開錠操作をする際、挿入が一番奥の位置に達していない不完全な位置ではキーを回すことができないように、キーブレードおよびキーシリンダーの外筒または回転タンブラーのキー挿入孔側の可動障害子に挿入が不完全な位置での回転防止機構を施した。  また、施錠した際、キーを抜くことができる元の位置に自動的に回し戻すため、一般的に施されている内筒を戻し回すリターンスプリング機構に加えて、回転タンブラー自体を回し戻すリターンスプリングを施した。【選択図】    図１
2006266055.tif 000002
【特許請求の範囲】
【請求項１】
キーをキーシリンダー内のすべての回転タンブラーを回すことができる位置まで挿し込まれない状態ではキーを回すことができない回転タンブラー方式キーシリンダーを備えた錠装置。
【請求項２】
施錠した際、開錠時に開錠位置まで回したキーが、キーを抜くことができる元の位置まで自動的に回し戻される機構を施した回転タンブラー方式キーシリンダーを備えた請求項１の錠装置。
【発明の詳細な説明】
【技術分野】
【０００１】  本発明は、回転タンブラー方式キーシリンダーにおいて、開錠の際、キーの挿入が不完全な位置での誤操作を防止するため、キーをキーシリンダー内のすべての回転タンブラーを回すことができる位置まで挿し込まれない状態では開錠するためにキーを回すことができない機構を備え、更に、施錠した際、開錠操作の際に開錠位置まで回したキーが自動的にキーを抜くことができる元の位置まで回し戻される機構を備えた錠装置に関する。
【背景技術】
【０００２】  従来の回転タンブラー方式キーシリンダーを備える錠装置においては、キーを挿入して開錠操作をする際、キーブレードを途中まで挿し込み、全ての回転タンブラーに掛かっていない不完全な状態でもキーを回すことができるため、誤操作となってキーを回しても開錠できないことがあった。そのため、使用者はキーを挿入する際、キーがすべての回転タンブラーを回すことができる一定の位置（一番奥）まで到達した状態を確認して開錠操作をしなければならなかった。
また、施錠した際、従来のリターンスプリングのみでは内筒は回し戻せるものの、回転タンブラーを元の位置まで回し戻すことができないため、キーを抜くためには、キーを抜くことができる元の位置まで手動にてキーを回し戻す操作を必要とした。
【発明が解決しようとする課題】
【０００３】  キーを全ての回転タンブラーに掛かる一番奥の位置まで到達しない状態では開錠操作としてキーを回せないようにすること。
また、施錠をした際、キーを抜くことができる元の位置までキーを回し戻す操作を必要とせず、キーが抜ける位置まで自動的にキーが回し戻され、施錠操作の手間を減らすこと。
【０００４】  本発明は、回転タンブラー方式キーシリンダーを備える錠装置において、前述の課題を解決し、キーを挿入して開錠操作をする際、不完全な挿入位置ではキーを回すことができないため誤操作が起きず、また、施錠した際、キーを抜くことができる元の位置まで自動的に回し戻される機構を備えた錠装置の提供を目的とする。
【課題を解決するための手段】
【０００５】  本発明の回転タンブラー方式キーシリンダーを備える錠装置は、キーを挿入して開錠操作をする際、挿入が一番奥に達していない不完全な位置ではキーを回すことができないように、キーブレードおよびキーシリンダーの外筒または回転タンブラーのキー挿入孔側の可動障害子に挿入が不完全な位置での回転防止機構を施した。
【０００６】  また、施錠した際、キーを抜くことができる元の位置に自動的に回し戻すため、一般的に施されている内筒を回し戻すリターンスプリング機構に加えて、内筒にキー自体を回し戻すキーリターンスプリングを内設した。
【発明の効果】
【０００７】  キーを挿入して開錠操作をする際、挿入が不完全ですべての回転タンブラーを回すことができない位置ではキーを回すことができないため、誤操作をしてしまうことがなく、また、キーを一番奥までしっかりと挿し込んだことを確認する必要がなくなり、開錠操作が容易になった。
【０００８】  施錠した際、キーを抜くことができる位置まで自動的に回し戻されるため、手動でキーを回し戻す操作が不要となり、施錠操作の手間が減った。
【発明を実施するための形態】
【０００９】  以下に、本発明の錠装置について、図面を参考にしながら詳細に説明する。
［実施形態１］
実施形態１は、キーブレード１Ａの一定の位置に切り欠きを施し、切り欠き部１Ｂの幅のみキーシリンダーの外筒２のキー挿入孔２Ａのタテ幅および横幅のどちらの幅よりも狭くし、キー挿入孔２Ａの範囲でキーブレード１Ａが回転しうる形状とし、切り欠き部１Ｂ以外の部分はキー挿入孔２Ａのタテ幅または横幅のどちらかより広く、キー挿入孔２Ａの範囲でキーブレード１Ａが回転しえない形状とし、故に切り欠き部１Ｂ以外の部分ではキー１を回すことができない回転防止機構を施した回転タンブラー方式キーシリンダーを備えた錠装置の実施例である。
図１は、実施形態１の回転タンブラー方式キーシリンダーの分解図である。外筒２に内嵌される内筒３に回転タンブラー４が更に内嵌されており、外筒２にはキー挿入孔２Ａが設けられており、キー挿入孔２Ａから挿入されたキーブレード１Ａによって回転タンブラー４が回される構造であるが、上記の切り欠き部１Ｂが外筒２のキー挿入孔２Ａの位置に来た時のみ、キー１を回すことができる。
【００１０】  図２は、実施形態１のキー１を途中まで挿入した状態を示す説明図およびその位置での断面図である。キー１が一定の位置まで挿入されておらず、キーブレード１Ａに施された切り欠き部１Ｂがキー挿入孔２Ａまで到達していない状態であり、この位置ではキー１を回すことができない。
【００１１】  図３は、実施形態１のキー１を一定の位置まで挿入した状態を示す説明図およびその位置での断面図である。キーブレード１Ａの切り欠き部１Ｂがキー挿入孔２Ａに到達している状態であり、この位置でのみ、キー１を回すことができる。
【００１２】［実施形態２］
実施形態２は、キーブレード１Ａの一定の位置に切り欠きまたは溝１Ｃを施し、その位置までキー１が挿入された状態でのみ可動障害子２Ｂを回すことができる機構を施した回転タンブラー方式キーシリンダーを備えた錠装置である。
図４は、実施形態２の回転タンブラー方式キーシリンダーの分解図である。外筒２のキー挿入孔２Ａの側に内嵌される可動障害子２Ｂが、キー１に施された切り欠きまたは溝１Ｃの位置でのみ回転が可能となる構造である。外筒２に可動障害子２Ｂおよび内筒３が内嵌され、内筒３には回転タンブラー４が更に内嵌されており、キー１を回し、回転タンブラー４を回すには、キー１を一定の位置まで挿入することにより可動障害子２Ｂの固定状態が解除され、可動可能な状態となり、回転タンブラー４を回転させることができる。
【００１３】  図５は、実施形態２のキー１を途中まで挿入した状態を示す説明図およびその位置での断面図である。キー１が一定の位置まで挿入されておらず、キーブレード１Ａに施された切り欠きまたは溝Ｃが可動障害子２Ｂまで到達していない状態であり、この位置では可動障害子２Ｂは外筒２の窪み２Ｄに押接固定された状態であり、キー１を回すことができない。
【００１４】  図６は、実施形態２のキー１を一定の位置まで挿入した状態を示す説明図およびその位置での断面図である。キーブレード１Ａの切り欠きまたは溝Ｃの部分が可動障害子２Ｂまで到達した状態であり、可動障害子２Ｂの凸部が切り欠きまたは溝１Ｃに入り込み、外筒２の窪み２Ｄに押接固定された状態が解除され、キー１を回すと外筒２に沿って回転させることができ、回転タンブラー４を回転させることができる。
【００１５】［実施形態１または２に係る追加機構］
実施形態１または２において、施錠した際、従来の内筒３を回し戻す内筒リターンスプリング３Ｂに加え、内筒３の内部にキーブレード１Ａを直接回し戻すキーリターンスプリング４Ｂを備え、従来、施錠した際にキー１を抜くことができる位置まで回転タンブラー４を自動的に回し戻すことができなかった欠点があったが、キーリターンスプリング４Ｂを追加したことにより、キー１を抜くことができる位置までキー１を自動的に完全に回し戻すことができる機構の説明をする。
回転タンブラー方式キーシリンダーにおいては、キー１を挿し込み、開錠する際、キー１を挿し込んで回転タンブラー４の切り込みを揃え、ロッキングバー３Ａを可動状態にするためには、他の方式のキーシリンダーと比較して、回転タンブラー４の切り込みを揃える回転動作分、余分に回転させる回転角度が必要であり、それ以上回転させることで初めて内筒３が回転し、軸着されている内筒リターンスプリング３Ｂを回転させ、一端に係着されている固定カムや固定板に動きを伝え固定状態を解除し開錠となるものである。本明細書では、施開錠動作の際の固定端子または閂と内筒リターンスプリング３Ｂの係合に関する説明は、様々な部材の組合わせ方法があることと、ごく一般的であるため省略する。
図７は、実施形態１または２に係る追加機構の構造図である。施錠した際、係着する固定カムや固定板に連動して回し戻る内筒リターンスプリング３Ｂの作用により内筒３が回し戻され、更に内筒３の中のキーリターンスプリング４Ｂに回転が伝えられ、キーブレードローター４Ｃが回し戻されると挿し込まれているキーブレード１Ａが連動して回し戻され、追動して回転タンブラー４を回し戻してしまう作用が働き、キー１を抜くことができる元の位置まで自動的にキー１が回し戻される。内筒３と回転タンブラー４は一定の回転角度までは連動して回転するが、内筒３の回転だけでは回転タンブラーは元の位置までは戻すことができないため、内筒３に更にキーリターンスプリング４Ｂを備えることにより、回転タンブラー４を完全に元の位置まで戻し回す力を加えるものである。尚、構成部材に関しては、図１または図２の分解図に示した通りである。
【図面の簡単な説明】
【図１】本発明の実施形態１の分解図である。
【図２】本発明の実施形態１のキーを途中まで挿入した状態を示す説明図およびその位置での断面図である。
【図３】本発明の実施形態１のキーを一定の位置まで挿入した状態を示す説明図およびその位置での断面図である。
【図４】本発明の実施形態２の分解図である。
【図５】本発明の実施形態２のキーを途中まで挿入した状態を示す説明図およびその位置での断面図である。
【図６】本発明の実施形態２のキーを一定の位置まで挿入した状態を示す説明図およびその位置での断面図である。
【図７】本発明の実施形態１および２に係る追加機構の構造図である。
【符号の説明】
１  キー
１Ａ  キーブレード
１Ｂ  切り欠き部
１Ｃ  切り欠きまたは溝
２  外筒
２Ａ  キー挿入孔
２Ｂ  可動障害子
２Ｃ  可動障害子押接スプリング
２Ｄ  窪み
３  内筒
３Ａ  ロッキングバー
３Ｂ  内筒リターンスプリング
３Ｃ  内筒ローター
４  回転タンブラー
４Ａ  回転タンブラー仕切り板
４Ｂ  キーリターンスプリング
４Ｃ  キーブレードローター
【図１】
2006266055.tif 000003
【図２】
2006266055.tif 000004
【図３】
2006266055.tif 000005
【図４】
2006266055.tif 000006
【図５】
2006266055.tif 000007
【図６】
2006266055.tif 000008
【図７】
2006266055.tif 000009